【事件の表示】
　特許第３４０３８３９号「カートリッジ容器」の請求項１に係る特許に対する特許異議の申立てについて、次のとおり決定する。
【結　論】
　訂正を認める。
　特許第３４０３８３９号の請求項１に係る特許を維持する。
【理　由】
１．手続の経緯
　本件特許第３４０３８３９号は、平成６年１０月２７日に出願され、平成１５年２月２８日にその発明について特許権の設定登録がなされ、その後、峯本紀子より特許異議の申立てがあり、取消理由通知がなされ、その指定期間内である平成１６年５月２５日付けで訂正請求がなされたものである。
　
２．訂正請求の適否について
（１）訂正事項
　本件訂正請求は、本件特許明細書を訂正請求書に添付した訂正明細書のとおりに訂正しようとするものであって、その訂正の内容は次のとおりである。
　
＜訂正事項ａ＞
　請求項１の、「【請求項１】基部と、当該基部に設けられた複数の穴とを有し、当該複数の穴の内、一の穴は光学測定用の穴であり、また、上記基部には、分注チップを保持する保持部が設けられ、かつ、上記基部に、当該カートリッジ容器に関する情報が付されたことを特徴とするカートリッジ容器。」を、
「【請求項１】基部と、当該基部に反応ステップに対応して設けられた複数の穴とを有し、当該複数の穴の内、一の穴は光学測定用の穴、一の穴は反応不溶磁性体を含有する液を収容する穴および一の穴は検体を収容する穴であり、また、上記基部には、移送可能なノズルユニットに装着された際にその外周面に接離可能な磁石が配設され当該磁石によってその内壁面に前記反応不溶磁性体の捕集を可能とする１本の分注チップを保持する保持部が設けられ、かつ、上記基部に、当該カートリッジ容器に関する情報が付され、前記複数の穴及び前記保持部の配設位置は、前記反応ステップに対応させたことを特徴とするカートリッジ容器。」と訂正する。
　
＜訂正事項ｂ＞
　特許明細書の段落【０００９】中の記載、「光学測定用の測定用穴３２ｋ」を、「光学測定用の測定用穴３２Ｊ」と訂正する。
　
＜訂正事項ｃ＞
　特許明細書の段落【００３１】中の記載「文中チップ３６」を、「分注チップ３６」と訂正する。
　
（２）訂正の目的、新規事項の追加の有無、及び特許請求の範囲の実質上の拡張または変更について
　訂正事項ａは、基部に設けられた複数の穴が「反応ステップに対応して」設けられたものであり、当該複数の穴の内、一の穴は光学測定用の穴であることに加え、「一の穴は反応不溶磁性体を含有する穴および一の穴は検体を収容する穴」であることを特定するとともに、分注チップが「移送可能なノズルユニットに装着された際にその外周面に接離可能な磁石が配設され当該磁石によってその内壁面に前記反応不溶磁性体の捕集を可能とする１本の分注チップ」であることを特定し、さらに、これらの穴と分注チップの保持部の配設位置について、「前記複数の穴および前記保持部の配設位置は、前記反応ステップに対応させた」と特定するものであるから、特許請求の範囲の減縮を目的とするものである。
　また、訂正事項ｂ、ｃは、明細書中の記載の誤りを正すものであるから誤記の訂正を目的とするものである。
　そして、上記訂正事項ａ〜ｃの訂正は、特許明細書の段落【００１８】〜【００３２】及び図１〜図３に記載された事項の範囲内のものであって、実質上特許請求の範囲を拡張又は変更するものでもない。
　
(３）訂正の適否の結論
　以上のとおりであるから、本件訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
３．特許異議の申立てについて
（１）本件発明
　上記のとおり訂正が認められるので、訂正後の本件請求項１に係る発明は、訂正明細書の特許請求の範囲の請求項１に記載された次のとおりのものと認められる。（以下、「本件発明」という。）
「【請求項１】基部と、当該基部に反応ステップに対応して設けられた複数の穴とを有し、当該複数の穴の内、一の穴は光学測定用の穴、一の穴は反応不溶磁性体を含有する液を収容する穴および一の穴は検体を収容する穴であり、また、上記基部には、移送可能なノズルユニットに装着された際にその外周面に接離可能な磁石が配設され当該磁石によってその内壁面に前記反応不溶磁性体の捕集を可能とする１本の分注チップを保持する保持部が設けられ、かつ、上記基部に、当該カートリッジ容器に関する情報が付され、前記複数の穴及び前記保持部の配設位置は、前記反応ステップに対応させたことを特徴とするカートリッジ容器。」
　
（２）特許異議の申立ての理由及び当審における取消理由の概要
（イ）特許異議申立人峯本紀子は、証拠として本件出願日前に頒布されたことが明らかな刊行物である特開平３−１８１８５３号公報を甲第１号証として提出し、訂正前の本件請求項１に係る発明は甲第１号証に記載された発明に基づいて当業者が容易になし得た発明であるから、訂正前の本件請求項１に係る発明の特許は、特許法第２９条第２項の規定により特許を受けることができないものであり、特許法第１１３条第２号の規定により取り消されるべきものであると主張している。
　
（ロ）当審において通知した取消しの理由の趣旨は、訂正前の本件請求項１に係る発明は、本件出願日前に頒布されたことが明らかな下記の刊行物１及び刊行物２に記載された発明に基づいて当業者が容易になし得た発明であるから、訂正前の本件請求項１に係る発明の特許は、特許法第２９条第２項の規定により特許を受けることができないものであり、取り消すべきものである、というものである。
　
　　　　　　　　　　　　　　　　記
  刊行物１：特開平３−１８１８５３号公報（上記甲第１号証と同じ）
  刊行物２：特開平４−２１８７７５号公報
　
（３）引用発明の記載事項
（イ）刊行物１の記載事項
　酵素免疫測定用のカートリッジと、それを用いた測定方法及び測定装置に係る発明が記載されている刊行物１には、
（１ａ）特許請求の範囲の請求項１に、「１．測定されるべき試料を収容するための試料カツプと、ピペツトチツプ形状の希釈用細径管が収容された希釈カツプ及び反応カツプが一体に配列された酵素免疫測定用のカートリツジであつて、該反応カツプの底部に凍結乾燥させた酵素標識試薬が収容され、かつ少くとも先端部内壁に測定対象物質たる抗原（または抗体）と結合する抗体（または抗原）が固定されたピペツトチツプ形状の固相用細径管が、該反応カツプ内にその先端が酵素標識試薬から離間して収容されるとともに、上記各カツプの上端開口がシール片で気密に閉塞されたことを特徴とする酵素免疫測定用カートリツジ」が記載され、
（１ｂ）同請求項２に、「２．請求項１記載の酵素免疫測定用カートリツジを用いた酵素免疫測定方法であつて、
（１）希釈カツプ内に収容されたピペツトチツプ形状の希釈用細径管で試料カツプ内の試料および希釈液を希釈カツプ内に注入し、該希釈カツプ内で所定の倍率に希釈された試料液体を調製する工程。
（２）反応カツプ内に収容されたピペツトチツプ形状の固相用細径管の先端部を希釈カツプ内の試料液体中に浸漬して１次免疫反応を行わせる工程。
（３）反応カツプ内に溶解溶液を注入して、該反応カツプ内の凍結乾燥された酵素標識試薬を溶解させた後、該溶解させた酵素標識体溶液中に１次免疫反応が終了した固相用細径管の先端部を浸漬して２次免疫反応を行わせる工程。
（４）２次免疫反応が終了した固相用細径管を洗浄する工程。
（５）洗浄された固相用細径管を基質溶液が満たされた測定セル内に設けられたｐＨ電極の感応部に被せて、該細径管とｐＨ電極の感応部間における基質溶液の分解反応に伴うpH変化を測定する工程。
からなる酵素免疫測定方法。」という測定方法が記載されているとともに、
（１ｃ）従来、酵素免疫測定法では、標識として用いられる酵素に対する基質溶液と、そしてさらに必要ならば発色試薬を固相と接触させて、基質溶液の光学的性質の変化を測定して測定が行われていたことが記載され（２頁右上欄末行〜３頁左上欄１行）、
（１ｄ）実施例として、（ｉ）酵素免疫測定用カートリツジ（１）は試料カツプ（２）、希釈カツプ（３）及び反応カツプ（４）で構成され、希釈カツプ（３）及び反応カツプ（４）内にはそれぞれピペツトチツプ形状の希釈用細径管（７）及び固相用細径管（８）が収容されていること、またカートリツジの側壁（５）には測定項目を表示するバーコードラベル（９）が貼着されており、反応カツプ（４）の底部には凍結乾燥された標識抗体（または標識抗原）（６）が収納され、また反応カツプ内に収容された固相用細径管（８）の先端部内壁（１１）には抗体（または抗原）が固定化されていることが記載され、（ii）該カートリツジは、ポリプロピレン、ポリスチレン等の各種のプラスチツクを一体成形することが好ましく、（iii）希釈操作には希釈カツプ（３）内に収容されている希釈用細径管（７）が用いられるが、希釈後使い捨てにすることにより、それを共用にした時に生じる、いわゆるキヤリーオーバーを防ぐことができることが記載され（公報第４頁左下欄４行〜５頁右上欄１８行参照）、斜視図である第１図および断面図である第２図には、該カートリッジが上部に開口を有し下方に容器となる空間を有する３つの穴を具え、そのうちの２つの穴の開口側上部が、希釈用細径管７と固相用細径管とを保持している保持部となっているものであることが図示されており（第１図及び第２図参照）、
（１ｅ）酵素免疫測定用のカートリツジは、測定項目固有の試薬としての固相用細径管と酵素標識体、および測定項目を表示するバーコードと一検体の測定を行うに必要な使い捨て品としての試料カツプ、希釈カツプ、反応カツプ、希釈用細径管を備えており、使用者は該カートリツジの試料カツプの中に試料液体を入れて、それを第３図〜第５図に記載された装置に装着するのみで測定が自動的に行われることが記載されている（５頁右上欄１９行〜左下欄７行）。
　
（ロ）刊行物２の記載事項
　「免疫測定法」に係る発明が記載されている刊行物２には、
（２ａ）特許請求の範囲に「【請求項１】上部に少なくとも二つの開口を有し、下方に筒状である容器を用いてなる免疫測定法。」が記載され、
（２ｂ）結合固相について、磁性粒子を用いてもよいことが記載され（明細書段落【０００８】参照）、
（２ｃ）使用される容器の具体例として、図１に、開口１，２及び３を有している容器において、開口１を有する筒状部８が、他の二本よりも下方に長い筒状を有し、抗原又は抗体結合固相を入れ反応、Ｂ／Ｆ分離及び検出を行うために使用され、開口２を有する筒状部９が、血清又は希釈液を入れ、反応又は希釈を行うための筒状部であり、この筒状部９は、検体中の抗原検出系では反応のために、抗体検出系では希釈のために使用されるもので、開口３を有する筒状部１０が、ＥＩＡでは酵素標識した抗体、又ＲＩＡでは放射性同位元素を標識した抗体を入れるためのものであることが記載されており（明細書段落【００１７】、図１参照）、
（２ｄ）「実施例３」として、３種類のＴＳＨ測定用筒状部の調製例が記載され（明細書段落【００２９】〜【００３１】参照）、「実施例５」として、各筒状部によるＴＳＨの測定例が記載され、筒状部８，９及び１０のシールをアルミブレーカーでやぶり、５０μｌのＴＳＨを含むサンプル（０、１０μＵ／ｍｌ）及び各筒状部１０に入った抗ＴＳＨＦａｂ’を結合したアルカリホスファターゼコンジュゲート５０μｌ（コンジュゲート濃度０．５μｇ／ｍｌ、０．１Ｍ　Ｔｒｉｓ−ＨＣｌ、２％ＢＳＡ、１ｍＭＭｇＣｌ２ 、０．１ｍＭ　ＺｎＣｌ２ 、ｐＨ７．５）を各筒状部９に入れ混合し、１０分後、筒状部９に入った混合液３０μｌをビーズの入った、あるいは抗体の結合した、あるいは抗体結合粒子の入った筒状部８に加え攪拌し、１０分後上清をアスピレートして除き、生理食塩水で４回洗浄し、この筒状部８にＡＭＰＰＤ１００μｇ／mlを含む基質液３００μｌを加え室温で反応させ、ルミノメーターで測定したことが記載されている（明細書段落【００３４】〜【００３７】参照）。
　
３．対比・検討
　刊行物１には、試料カップ、ピペットチップ形状の希釈用細径管が収容された希釈カップ、及び反応カップが一体に配列され、かつ、測定項目を表示するバーコードを備えた酵素免疫測定用カートリッジが記載されており（上記記載（１ａ）、（１ｅ）、及び第１図、第２図参照）、またこれらのカップが反応ステップに対応していることは明らかである（上記記載（１ｂ）参照）ことから、刊行物１には、「基部と、当該基部に反応ステップに対応して設けられた複数の穴とを有し、また、上記基部には、分注チップを保持する保持部が設けられ、かつ、上記基部に、当該カートリッジ容器に関する情報が付され、前記複数の穴の配設位置は前記反応ステップに対応させたことを特徴とするカートリッジ容器」に係る発明が記載されているものと認められる。
　そこで、本件発明と上記刊行物１記載の発明とを比較すると、両者は下記の点において相違し、その余の点では一致している。
　
（相違点１）本件発明においては、「当該複数の穴の内、一の穴は光学測定用の穴、一の穴は反応不溶磁性体を含有する液を収容する穴および一の穴は検体を収容する穴であ」るのに対して、刊行物１記載の発明においては、複数の穴が試料カップ、希釈カップ、及び反応カップである点。
（相違点２）本件発明においては、分注チップが「移送可能なノズルユニットに装着された際にその外周面に接離可能な磁石が配設され当該磁石によってその内壁面に前記反応不溶磁性体の捕集を可能とする１本の分注チップ」であるのに対して、刊行物１記載の発明においては、分注チップに相当するものが希釈用細径管及び固相用細径管の２本である点。
（相違点３）本件発明においては、分注チップの「前記保持部の配設位置は、前記反応ステップに対応させ」ているのに対して、刊行物１記載の発明においては分注チップの保持部はそれぞれ希釈カップ、反応カップと兼ねている点。
  　
　上記相違点について、以下検討する。
（相違点１について）
　刊行物１記載の発明においては、洗浄された固相用細径管を、基質溶液が満たされたカートリッジとは別の測定セル内に設けられたpH電極の感応部に被せて、該細径管とpH電極の感応部間における基質溶液の分解反応に伴うpH変化を測定するものであり（上記記載（１ｂ）参照）、また、反応不溶磁性体を含有する液を用いるものではないから、上記複数の穴の内の一の穴を「光学測定用の穴」としたり、さらに「反応不溶磁性体を含有する液を収容する穴」とする構成を導くことはできない。また、上記刊行物２には、筒状部８において光学的測定を行っている旨の記載があるものの（上記記載（２ｄ）参照）、刊行物１記載の発明とは異なる免疫測定法を採用しているため、刊行物１記載の発明において刊行物２記載の構成を採用する動機が存在しない。
（相違点２について）
　刊行物１記載の発明において、分注チップに相当する「細径管」は、「希釈用細径管」と、その先端部内壁に測定対象物質たる抗原（または抗体）と結合する抗体（または抗原）が固定された「固相用細径管」との２本であり、「希釈用細径管」は試料の吸引と希釈に使用された後廃棄され、「固相用細径管」は測定対象物質たる抗原（または抗体）と結合する抗体（または抗原）が固定された固相として使用されるものであって、いずれも固相として「反応不溶磁性体」を使用する際に用いられるものではないことから、「反応不溶磁性体」を使用することを前提として、「移送可能なノズルユニットに装着された際にその外周面に接離可能な磁石が配設され当該磁石によってその内壁面に前記反応不溶磁性体の捕集を可能とする１本の分注チップ」を設けることについて示唆、教示するところはない。また、上記刊行物２には、固相として磁性粒子を用いることが記載されているものの（上記記載（２ｂ）参照）、分注チップについては何も記載がなく、刊行物１及び刊行物２の記載を併せて参照しても、上記相違点２に挙げられた構成を導くことはできない。
（相違点３について）刊行物１には分注チップ専用の保持部を設けることについて何も示唆されておらず、また刊行物２には分注チップに係る記載はないことから、刊行物１及び刊行物２の記載からは上記相違点３に挙げられた構成を導くことはできない。
　
　以上のとおり、上記相違点に挙げられた構成はいずれも上記刊行物１及び２の記載から導くことはできず、そして本件発明は、上記の構成を採用することにより、検体分注や希釈、試薬分注、洗浄液分注等の作業を１本のピペットで、クロスコンタミネーションを心配することなく行なうことができるので、ピペットの駆動制御が非常に簡略化され、かつ、自動分析装置の構成も大幅に簡略化される等、幾多の優れた効果（明細書段落【００４２】参照）を奏するものである。
　したがって、本件発明は、刊行物１〜２記載の発明に基づいて、当業者が容易に発明をすることができたものではない。
　
４．むすび
　以上のとおりであるから、特許異議申立ての理由および証拠によっては、請求項１に係る発明の特許を取り消すことができない。
　また、他に請求項１に係る発明の特許を取り消すべき理由を発見しない。
　よって、本件請求項１に係る発明についての特許は、拒絶の査定をしなければならない特許出願に対してされたものと認めないから、結論のとおり決定する。
【異議決定日】
平成１６年１０月１３日（２００４．１０．１３）
【訂正の要旨】
審決（決定）の【理由】欄参照。
（５４）【発明の名称】
カートリッジ容器
（５７）【特許請求の範囲】
　【請求項１】　基部と、当該基部に
反応ステップに対応して
、一の穴は反応不溶磁性体を含有する液を収容する穴および一の穴は検体を収容する穴
移送可能なノズルユニットに装着された際にその外周面に接離可能な磁石が配設され当該磁石によってその内壁面に前記反応不溶磁性体の捕集を可能とする１本の
、前記複数の穴及び前記保持部の配設位置は、前記反応ステップに対応させ
【発明の詳細な説明】
　【０００１】
　【産業上の利用分野】
　本発明は、化学発光法等の免疫自動分析装置に用いられるカートリッジ容器に関する。
　【０００２】
　【従来の技術とその課題】
　従来、周知のように化学発光法に基づく免疫検査は非常に高感度で、測定に対する信頼性が高いという利点を有している反面、測定項目によって、洗浄回数、インキュベーション時間、反応ステップ数等が異なる場合が多く、サンプル分注から測定するまでのフロー処理も様々であった。
　【０００３】
　このため、従来では、検体分注や希釈、試薬分注および洗浄液を分注するためのピペット装置等を処理ラインに設置して、これを独立させて駆動制御しなければならないため、装置が非常に複雑化し、また、クロスコンタミネーションを防止するため、洗浄を高精度に管理しなければならない等、多くの問題を有していた。
　【０００４】
　この発明は、かかる現状に鑑み創案されたものであって、その目的とするところは、検体分注や希釈、試薬分注、洗浄液分注等の作業を１本のピペットで、クロスコンタミネーションを心配することなく行なうことができるので、ピペットの駆動制御が非常に簡略化され、かつ、自動分析装置の構成も大幅に簡略化されるカートリッジ容器を提供しようとするものである。
　【０００５】
　【課題を解決するための手段】
　上記目的を達成するため、この発明に係るカートリッジ容器にあっては、基部と、当該基部に設けられた複数の穴とを有し、当該複数の穴の内、一の穴は光学測定用の穴であり、また、上記基部には、分注チップを保持する保持部が設けられ、かつ、上記基部に、当該カートリッジ容器に関する情報が付されたことを特徴とする
基部と、当該基部に設けられた複数の穴とを有し、当該基部の一端近傍の穴はその壁及び底に遮光を施した光学測定用の穴であり、他端には前記分注チップを保持する保持部が設けられ、上記基部に、当該カートリッジ容器に関する情報が付されて形成されていることを特徴とするものである。
　【０００６】
　ここで、「カートリッジ容器に関する情報」としては、例えば、当該カートリッジ容器を識別する情報、対応する項目を識別する情報、検体を識別する情報とがあり、バーコードによる場合、文字コード、またはその他のマークによって表示する。また、通常、１つの項目は１つのカートリッジ容器で且つ１つの検体に相当する。尚、以下、本明細書では「穴」とは、底のあるものをいい、「孔」とは底のないものをいう。
　【０００７】
　【実施例】
　以下、添付図面に示す一実施例に基づき、この発明を詳細に説明する。
　【０００８】
　図１乃至図３に示すように、本実施例に係るカートリッジ容器３２は、ガラスやプラスチック等の透明体で形成された基部５６と、一端の側面には突出するように形成された摘み５４とを有し、基部５６には、例えば、１１個の穴（ホール）が設けられている。勿論、この穴は、基部５６に開設された孔に別体成型された容器を装着して形成してもよい。
　【０００９】
　当該１１個の穴のうち、摘み側に近い側にある穴は、分注チップ３６を保持するためのチップサック５５であり、一方の端にある穴は、光学測定用の測定用穴３２
Ｊ
　【００１０】
　チップサック５５は分注チップ３６を保持することができるように、分注チップ３６の長さに合わせて穴を深く形成し、チップサック５５の底には、分注チップ３６に付着した液分を吸収するための吸水パッド５５ａが設けられている。
　【００１１】
　前記測定用穴３２Ｊは、その穴の壁および底には遮光膜をコーティングによって、又は遮光膜や遮光板を張ったり一体に形成することによって外部からの遮光を行う遮光部５３が形成されている。これは、光学的測定の際には、反応によって生じた光以外の光を遮断するためである。勿論、透過測定法や分光測定法或は比濁法等のような測定法によっては遮光を施す必要がない場合があり、この場合には、透明なままで使用する。
　【００１２】
　さらに、前記バーコード５６ｂが付されている領域に１１個の穴が設けられている本体基部側から又はバーコードが附されている領域から、透明体の上面を通り光が進行して測定用孔３２Ｊに到達しないように、遮光溝５７が本体５６を横断するようにその上面近傍に設けられている。
　【００１３】
　他の穴３２Ａ〜３２Ｉについてはその内部を見ることができるように透明のままで形成されている。
　【００１４】
　また、前記基部５６の上面は保持用の縁部５６ａが設けられ、この縁部５６ａは、自動分析装置側に形成された回転ステージの穴部に形成された側板（図示せず）に形成された対応する溝に嵌合させて位置決め保持されるように構成されている。
　【００１５】
　尚、上記分注チップ３６は、検体用ラックにある検体容器から、所要量の検体を分注し、かつ、前記カートリッジ容器３２に反応不溶磁性体液や洗浄液、酵素標識液、基質液及び反応停止液等を吐出し或は吸引するように用いられる。
　【００１６】
　また、反応不溶磁性体を吸着する磁石は、分注チップ３６の外周面に接離可能に配設されていると共に、この分注チップ３６はノズルユニット（図示せず）に装着されている。この分注チップ３６に液が吸引されたときに、上記磁石によって液中の磁性体が確実に捕集される。
　【００１７】
　カートリッジ容器３２は直列状に穴３２Ａ〜３２Ｈを設ける場合のみならず、ループ状又はジグザグ状等の列状に構成されても良い。
　【００１８】
　穴３２Ｃには、検体が予め粗分注されており、また、穴３２Ｄには、所要量の反応不溶磁性体液が予め収容されており、穴３２Ｅと穴３２Ｆには、所要量の洗浄液が予め収容されており、穴３２Ｇには、所要量の標識液が予め収容されており、穴３２Ｈと穴３２Ｉには所要量の洗浄液が予め収容され、さらに、測定用穴３２Ｊには基質液が分注され発光状態が測定されるように構成されている。
　【００１９】
　このように構成されたカートリッジ容器３２は、例えば、次のようにして用いられる。
　【００２０】
　先ず、分注位置に停止しているカートリッジ容器３２の穴３２Ｃに粗分注された検体を、上記分注チップ３６で、所定量吸引して定量を行う。粗分注された検体が吸引された分注チップ３６は前記ＸＹＺステージによって移送させ、穴３２Ｄ内の反応不溶磁性体液に吸引された検体を全量吐出した後、該検体と上記反応不溶磁性体液との混合液を、上記分注チップ３６で繰り返し吸引・吐出させて（パンピング）、磁性体の均一な攪拌混合状態を生成する。
　【００２１】
　すると、当該分注チップ３６は、前記チップサック５５の位置に移送され、前記ノズルユニットから外され、前記チップサック５５に保持した後、前記自動分析装置の回転ステージを回転させて所定位置まで移送される。
　【００２２】
　すると、前記ノズルユニットは、当該最初のカートリッジ容器３２の前記チップサック５５の位置に移送され、当該チップサックに保持されていた分注チップ３６を装着し、前記インキュベーションされた穴３２Ｄに保持されていた混合液を上記分注チップ３６で吸引する。
　【００２３】
　このとき、分注チップ３６に吸引された混合液中に浮遊する磁性体は、分注チップ３６を通過するときに、該分注チップ３６の外側に配設された磁石の磁力によって内壁面に捕集される。
　【００２４】
　このようにして磁性体が捕集された後、この磁性体を除く混合液は、上記穴３２Ｄに吐き出されて排液され、磁性体のみが上記分注チップ３６に残る。
　【００２５】
　次に、上記分注チップ３６は、磁性体を捕集したまま、次の穴３２Ｅへと送られ、該液収納部３２Ｅ内の洗浄液を吸引する。このとき、上記磁石は、上記分注チップ３６から離れる方向に移動して磁性体の吸着状態を解除し、従って、この洗浄液をパンピングさせることで、全磁性体の洗浄を効率的に行うことができる。勿論、磁石に磁性体を吸着させたまま洗浄することもできる。
　【００２６】
　そして、上記パンピングが終了した後、上記分注チップ３６は、穴３６Ｅ内の洗浄液を一定量吸引する。このとき、上記磁石は、再び上記分注チップ３６に接近し、吸引された洗浄液中に浮遊する磁性体を全て捕集し、この磁性体を除く洗浄液は、上記穴３２Ｅに吐き出されて排出され、磁性体のみが上記分注チップに残る。
　【００２７】
　次に、上記分注チップ３６は、磁性体を捕集したまま次の穴３２Ｆに送られ、該穴３２Ｆ内の洗浄液を吸引し、上記穴３２Ｅで行われた手順と同じ手順で磁性体の洗浄作業及び捕集作業が行われる。
　【００２８】
　次に、上記分注チップ３６は、洗浄された磁性体を捕集したまま、次の穴３２Ｇに送られ、該穴３２Ｇ内の標識液を吸引する。このとき、上記磁石は、分注チップ３６から離れる方向に移動して磁性体の吸着状態を解除し、従って、この標識液をパンピングさせることで、全磁性体と標識液との反応を均一化させることができる。
　【００２９】
　そして、上記パンピングが終了しインキュベイションが終了した後、上記分注チップ３６は、穴３２Ｇ内の標識液を一定量吸引する。このとき、上記磁石は、再び分注チップ３６に接近し、吸引された標識液中に浮遊する磁性体を全て捕集し、この磁性体を除く標識液は、上記穴３２Ｇに吐き出されて排出され、磁性体のみが上記分注チップ３６に残る。
　【００３０】
　この後、上記分注チップ３６は、磁性体を捕集したまま次の穴３２Ｈへと送られ、該穴３２Ｈ内の洗浄液を吸引し、上記穴３２Ｅ，３２Ｆと同一の手順で磁性体の洗浄・捕集を行った後、次の穴３２Ｉの洗浄液を、穴３２Ｈの洗浄液吸引手順と同じ手順で吸引し、磁性体の洗浄・捕集が行われる。
　【００３１】
　この後、上記分注チップ３６は、穴３２Ｊと移送され、所定の反応時間（インキュベイション）が経過した後、該穴３２Ｊ内に予め収容された基質液を吸引する。このとき、上記磁石は
分注
　【００３２】
　そして、上記パンピングが終了しインキュベイションが終了すると、再び前記分注チップ３６は、前記チップサック５５の位置に移送され保持される。
　【００３３】
　一定時間経過後に、カートリッジ容器３２の測定用の穴３２Ｊが、測定定位置に到達するように回転移送される。勿論、カートリッジ容器３２の移送形態としては、回転移送または直列移送を問わない。
　【００３４】
　ここで、一定時間とは、最初のカートリッジ容器３２について、インキュベーションに必要な時間である。
　【００３５】
　この測定位置で、該発光量がＰＭＴ等の測定法に対応する光学測定装置で測定される。
　【００３６】
　この後、上記分注チップ３６及びカートリッジ容器３２は廃棄される。
　【００３７】
　尚、この例では、穴３２Ｄ内でのパンピングした後、および、穴３２Ｊ内での測定を行う前に回転ステージによる回転移送を行っているが、当該場合に限られず、各処理毎に又は任意の処理毎に回転移送させても良い。
　【００３８】
　また、本実施例では、カートリッジ容器における洗浄回数を、反応不溶磁性体液の排出後２回と標識液の排出後２回行うように構成した場合を例にとり説明したが、この発明にあっては、これに限定されるものではなく、必要に応じて、１回以上洗浄できるものであれば構わない。
　【００３９】
　尚、上記実施例では、分注チップ３６及びカートリッジ容器３２をディスポーザブルとした場合を例にとり説明したが、分注チップ３６及びカートリッジ容器３６を洗浄して再使用できるようにしても良い。
　【００４０】
　さらに、上記実施例では、分注チップ３６を、カートリッジ容器３２のチップサック５５に戻してしまう場合を例にとり説明したが、カートリッジ容器外のチップラックに戻すように構成してもよい。
　【００４１】
　また、上記実施例では、磁石を分注チップの中径部の片側に接離自在に配設した場合を例にとり説明したが、上記中径部を挟んで両側に配設しても良く、また、分注チップ自体を繰り返し昇降させることで磁性体の捕集効率をさらに向上させることもできる。
　【００４２】
　【発明の効果】
　この発明は、以上説明したように構成されているので、検体分注や希釈、試薬分注、洗浄液分注等の作業を１本のピペットで、クロスコンタミネーションを心配することなく行なうことができるので、ピペットの駆動制御が非常に簡略化され、かつ、自動分析装置の構成も大幅に簡略化される等、幾多の優れた効果を奏する。
【図面の簡単な説明】
　【図１】
　この発明の一実施例に係るカートリッジ容器の斜視図である。
　【図２】
　同カートリッジ容器の断面図である。
　【図３】
　同カートリッジ容器の平面図である。
　【符号の説明】
　３２　カートリッジ容器
　３２Ａ〜３２Ｈ　穴
　３６　分注チップ
　５５　チップサック